(57)【要約】【課題】複数の教室又は複数の指導者が共有するデータをより効率的に配信する。【解決手段】教育施設においてサーバ１０から複数の教室端末２０へ情報を配信する情報配信システムであって、サーバ１０は、全ての教室端末２０へ配信する全校共通情報データ及び教室端末２０のそれぞれに対して個別に配信する教室別情報データを記憶する記憶部１３と、全校共通情報データ及び教室別情報データを教室端末２０へ配信するサーバ・教室端末間通信部１６と、を備え、教室端末２０は、全校共通情報データ及び教室別情報データを受信するサーバ・教室端末間通信部２８と、全校共通情報データ及び教室別情報データを記憶する記憶装置又は記憶媒体と、全校共通情報データ又は教室別情報データを表示する表示部２５と、表示部２５の表示内容を切り替えるＣＰＵ２１と、を備える。【選択図】図１
2012078374.tif 000002
【特許請求の範囲】
【請求項１】
教育施設においてサーバから複数の端末へ情報を配信する情報配信システムであって、
前記サーバは、
全ての端末へ配信する共通情報を記憶する共通情報記憶手段と、
複数の端末のそれぞれに対して個別に配信する個別情報を記憶する個別情報記憶手段と、
前記共通情報及び前記個別情報を前記端末へ配信する配信手段と、
を備え、
前記端末は、
前記共通情報及び前記個別情報を受信する受信手段と、
前記共通情報及び前記個別情報を記憶する記憶手段と、
前記共通情報又は前記個別情報を表示する表示手段と、
前記表示手段の表示内容を前記共通情報又は前記個別情報の何れかに切り替える制御手段と、
を備えることを特徴とする情報配信システム。
【請求項２】
前記端末は、
所定の時間帯と、当該所定の時間帯に前記表示手段により表示する前記共通情報又は前記個別情報と、を対応付ける時間割情報を記憶する時間割情報記憶手段をさらに備え、
前記制御手段は、前記時間割情報に基づいて前記表示手段の表示内容を前記共通情報又は前記個別情報の何れかに切り替えることを特徴とする請求項１に記載の情報配信システム。
【請求項３】
前記端末は、
予め設けられた表示情報を記憶する表示情報記憶手段と、
前記共通情報及び前記個別情報の配信を検知する配信検知手段と、をさらに備え、
前記制御手段は、前記配信検知手段により前記共通情報又は前記個別情報の配信が検知されるまでは前記表示情報を前記表示手段に表示させ、前記配信検知手段により前記共通情報又は前記個別情報の配信が検知された場合に、前記受信手段により受信した前記共通情報、前記個別情報のうち最近に受信した情報を前記表示手段に表示させることを特徴とする請求項１に記載の情報配信システム。
【請求項４】
前記サーバは、
所定の時間帯と、当該所定の時間帯に前記配信手段により配信する前記共通情報又は前記個別情報と、を対応付ける時間割情報を記憶する時間割情報記憶手段と、
前記時間割情報に基づいて前記配信手段により配信する情報を決定する配信情報決定手段と、をさらに備えることを特徴とする請求項３に記載の情報配信システム。
【請求項５】
前記端末は、
当該端末に設けられて入力を受け付ける入力手段をさらに備え、
前記制御手段は、前記入力手段からの入力内容に基づいて前記表示手段の表示内容を前記共通情報又は前記個別情報の何れかに切り替えることを特徴とする請求項１から４のいずれか一項に記載の情報配信システム。
【請求項６】
前記情報配信システムは、前記端末と通信可能に設けられて前記端末に対して入力を行う外部機器をさらに有し、
前記端末は、
前記外部機器からの入力を受け付ける入力受付手段をさらに備え、
前記制御手段は、前記入力受付手段が前記外部機器からの入力内容に基づいて前記表示手段の表示内容を前記共通情報又は前記個別情報の何れかに切り替えることを特徴とする請求項１から５のいずれか一項に記載の情報配信システム。
【発明の詳細な説明】
【技術分野】
【０００１】
本発明は、情報配信システムに関する。
【背景技術】
【０００２】
従来より、学校や学習塾等の教育施設において、指導者から生徒へ学習に関する資料データを配信するための情報配信が行われている（例えば特許文献１）。
【先行技術文献】
【特許文献】
【０００３】
【特許文献１】特開２００５−２４９７７号公報
【発明の概要】
【発明が解決しようとする課題】
【０００４】
しかしながら、特許文献１に記載の構成によるデータ配信は、授業時間に用いる資料データを取り扱うにあたり、各教室で配信するデータを指導者が個別に指定する必要があった。このため、複数の教室において共通して使用されるデータを配信する場合であっても、各教室で各指導者がデータを配信する作業を行わなければならず、極めて煩雑であった。
【０００５】
本発明の課題は、複数の教室又は複数の指導者が共有するデータをより効率的に配信することである。
【課題を解決するための手段】
【０００６】
上記課題を解決するため、請求項１に記載の発明は、教育施設においてサーバから複数の端末へ情報を配信する情報配信システムであって、前記サーバは、全ての端末へ配信する共通情報を記憶する共通情報記憶手段と、複数の端末のそれぞれに対して個別に配信する個別情報を記憶する個別情報記憶手段と、前記共通情報及び前記個別情報を前記端末へ配信する配信手段と、を備え、前記端末は、前記共通情報及び前記個別情報を受信する受信手段と、前記共通情報及び前記個別情報を記憶する記憶手段と、前記共通情報又は前記個別情報を表示する表示手段と、前記表示手段の表示内容を前記共通情報又は前記個別情報の何れかに切り替える制御手段と、を備えることを特徴とする。
【０００７】
請求項２に記載の発明は、請求項１に記載の情報配信システムであって、前記端末は、所定の時間帯と、当該所定の時間帯に前記表示手段により表示する前記共通情報又は前記個別情報と、を対応付ける時間割情報を記憶する時間割情報記憶手段をさらに備え、前記制御手段は、前記時間割情報に基づいて前記表示手段の表示内容を前記共通情報又は前記個別情報の何れかに切り替えることを特徴とする。
【０００８】
請求項３に記載の発明は、請求項１に記載の情報配信システムであって、前記端末は、予め設けられた表示情報を記憶する表示情報記憶手段と、前記共通情報及び前記個別情報の配信を検知する配信検知手段と、をさらに備え、前記制御手段は、前記配信検知手段により前記共通情報又は前記個別情報の配信が検知されるまでは前記表示情報を前記表示手段に表示させ、前記配信検知手段により前記共通情報又は前記個別情報の配信が検知された場合に、前記受信手段により受信した前記共通情報、前記個別情報のうち最近に受信した情報を前記表示手段に表示させることを特徴とする。
【０００９】
請求項４に記載の発明は、請求項３に記載の情報配信システムであって、前記サーバは、所定の時間帯と、当該所定の時間帯に前記配信手段により配信する前記共通情報又は前記個別情報と、を対応付ける時間割情報を記憶する時間割情報記憶手段と、前記時間割情報に基づいて前記配信手段により配信する情報を決定する配信情報決定手段と、をさらに備えることを特徴とする。
【００１０】
請求項５に記載の発明は、請求項１から４のいずれか一項に記載の情報配信システムであって、前記端末は、当該端末に設けられて入力を受け付ける入力手段をさらに備え、前記制御手段は、前記入力手段からの入力内容に基づいて前記表示手段の表示内容を前記共通情報又は前記個別情報の何れかに切り替えることを特徴とする。
【００１１】
請求項６に記載の発明は、請求項１から５のいずれか一項に記載の情報配信システムであって、前記情報配信システムは、前記端末と通信可能に設けられて前記端末に対して入力を行う外部機器をさらに有し、前記端末は、前記外部機器からの入力を受け付ける入力受付手段をさらに備え、前記制御手段は、前記入力受付手段が前記外部機器からの入力内容に基づいて前記表示手段の表示内容を前記共通情報又は前記個別情報の何れかに切り替えることを特徴とする。
【発明の効果】
【００１２】
本発明によれば、複数の教室又は複数の指導者が共有するデータをより効率的に配信することができる。
【図面の簡単な説明】
【００１３】
【図１】本発明の第１実施形態による情報配信システムの主要構成を示す図である。
【図２】サーバのブロック図である。
【図３】教室端末のブロック図である。
【図４】指導者端末のブロック図である。
【図５】全校共通情報データの構成の一例を示す図である。
【図６】全校共通情報テーブルの一例を示す図である。
【図７】教室別情報データの構成の一例を示す図である。
【図８】教室別情報テーブルの一例を示す図である。
【図９】教室端末が保持するデータの一例を示す図である。
【図１０】時間割テーブルの一例を示す図である。
【図１１】表示部の表示内容の一例を示す。図１１（Ａ）は全校共通情報データに含まれる情報を表示した場合の一例を示す図である。図１１（Ｂ）は教室別情報データに含まれる情報を表示した場合の一例を示す図である。
【図１２】サーバの動作の流れを示すフローチャートである。
【図１３】教室端末の動作の流れを示すフローチャートである。
【図１４】第２実施形態における全校共通情報データ及び教室別情報データの構成の一例を示す図である。
【図１５】第２実施形態におけるサーバの動作の流れを示すフローチャートである。
【図１６】第２実施形態における教室端末の動作の流れを示すフローチャートである。
【図１７】アート変換機能による写真画像の表示例を示す図である。図１７（Ａ）は、アート変換機能による加工を行わない元の写真画像の一例を示す図である。図１７（Ｂ）は、アート変換機能により水彩画調に加工した写真画像の表示例を示す図である。
【図１８】アート変換機能による写真画像の表示例を示す図である。図１８（Ａ）は、アート変換機能により油絵調に加工した写真画像の表示例を示す図である。図１８（Ｂ）は、アート変換機能により点描調に加工した写真画像の表示例を示す図である。
【図１９】アート変換機能による写真画像の表示例を示す図である。図１９（Ａ）は、アート変換機能によりエアブラシでの描画調に加工した写真画像の表示例を示す図である。図１９（Ｂ）は、アート変換機能により図１８（Ａ）とは異なる油絵調に加工した写真画像の表示例を示す図である。
【図２０】アート変換機能による写真画像の表示例のうち、アート変換機能により図１８（Ａ）、図１９（Ｂ）とは異なる油絵調に加工した写真画像の表示例を示す図である。
【発明を実施するための形態】
【００１４】
以下に、本発明について、図面を用いて具体的な態様を説明する。ただし、発明の範囲は、図示例に限定されない。
【００１５】
（第１実施形態）
図１に、本発明の第１実施形態による情報配信システム１の主要構成を示す。
情報配信システム１は、サーバ１０、教室端末２０及び指導者端末４０を有する。教室端末２０は「端末」として機能し、指導者端末４０は「外部機器」として機能する。
教室端末２０、指導者端末４０は複数設けられる。図示しないが、教室端末２０は教育施設の各教室に個別に設けられる。指導者端末４０は、複数の指導者の各々が有する。
【００１６】
サーバ１０と教室端末２０とは、ネットワーク回線Ｎを介して接続される。第１実施形態では、ネットワーク回線Ｎは有線のＬＡＮ（Local Area Network）により構築されるが、ネットワーク回線Ｎは、有線／無線を問わず、また採用するプロトコル等の各種の詳細条件を問わず、情報配信システム１を採用する教育施設においてサーバ１０と教室端末２０との間でデータ伝送が行えればよい。
また、第１実施形態では、教室端末２０と指導者端末４０との間で無線通信が行われるが、教室端末２０と指導者端末４０との間における通信は有線／無線を問わず、また採用するプロトコル等の各種の詳細条件を問わず、情報配信システム１を採用する教育施設において教室端末２０と指導者端末４０との間でデータ伝送が行えればよい。
【００１７】
図２に、サーバ１０のブロック図を示す。
サーバ１０は、ＣＰＵ１１、ＲＡＭ１２、記憶部１３、入力部１４、表示部１５、サーバ・教室端末間通信部１６及び計時部１７を備え、これらの各構成はバス１８により接続される。
【００１８】
ＣＰＵ１１は、記憶部１３に記憶されたプログラムをＲＡＭ１２に読み出して処理する。ＣＰＵ１１は、記憶部１３内に記憶されたプログラムと協働して、ＲＡＭ１２に展開されたプログラムやデータ等に従ってサーバ１０の動作制御を行う。
ＲＡＭ１２は、ＣＰＵ１１の処理によって展開されたデータや、当該処理によって一時的に生じたデータ等を格納する。
記憶部１３は、ＣＰＵ１１によって読み出されるプログラムやデータ等を記憶する。記憶部１３は、例えばハードディスクドライブやフラッシュメモリ、その他の書き換え可能な記憶装置又はそれらの記憶装置の組合せ等によって構成される。
【００１９】
入力部１４は、サーバ１０に対して入力操作を可能とする。入力部１４は、例えばキーボードやマウス、その他の入力装置又はそれらの入力装置の組合せ等によって構成される。入力部１４は、利用者による入力操作を受け付けてその入力操作内容に応じた信号をＣＰＵ１１へ入力する。
表示部１５は、ＣＰＵ１１の処理内容に応じた表示出力を行う。表示部１５は、例えばブラウン管や液晶表示装置、有機エレクトロルミネセンス（Electro-Luminescence、ＥＬ）ディスプレイ、その他の表示装置又はそれらの表示装置の組合せ等によって構成される。
【００２０】
サーバ・教室端末間通信部１６は、外部機器（教室端末２０）との間でデータ伝送を行う。サーバ・教室端末間通信部１６は、例えばネットワークインターフェースカード（Network Interface Card、ＮＩＣ）等の通信装置を有し、ネットワーク回線Ｎを通じて教室端末２０と通信を行う。
【００２１】
計時部１７は、日時を計時する。ＣＰＵ１１は、計時部１７から現在時刻を取得する。
【００２２】
図３に、教室端末２０のブロック図を示す。
教室端末２０は、ＣＰＵ２１、ＲＡＭ２２、ＲＯＭ２３、入力部２４、表示部２５、音声出力部２６、インタフェース２７、サーバ・教室端末間通信部２８、教室端末・指導者端末間通信部２９及び計時部３０を備え、これらの各構成はバス３１により接続される。
第１実施形態における教室端末２０は、例えば、デジタルフォトフレーム、携帯端末装置、ＰＤＡ（Personal Digital Assistants）、ＰＣ（Personal Computer）等の端末装置である。
【００２３】
ＣＰＵ２１は、ＲＯＭ２３に記憶されたプログラムをＲＡＭ２２に読み出して処理する。ＣＰＵ２１は、ＲＯＭ２３内に記憶されたプログラムと協働して、ＲＡＭ２２に展開されたプログラムやデータ等に従って教室端末２０の動作制御を行う。
ＲＡＭ２２は、ＣＰＵ２１の処理によって展開されたデータや、当該処理によって一時的に生じたデータ等を格納する。
ＲＯＭ２３は、ＣＰＵ２１によって読み出されるプログラムやデータ等を記憶する。
【００２４】
入力部２４は、スイッチ２４ａ、リモコン受付部２４ｂを有する。
スイッチ２４ａは、教室端末２０に設けられた一又は複数のキー（ボタン）に対する入力操作を受け付け、その入力内容をＣＰＵ２１へ入力する。
リモコン受付部２４ｂは、別途設けられたリモコン２４ｃを介して行われた入力操作内容を受け付け、ＣＰＵ２１へ入力する。
【００２５】
表示部２５は、ＣＰＵ１１の処理内容に応じた表示出力を行う。表示部２５は、例えば液晶表示装置、有機エレクトロルミネセンス（Electro-Luminescence、ＥＬ）ディスプレイ、その他の表示装置又はそれらの表示装置の組合せ等によって構成される。
音声出力部２６は、ＣＰＵ１１の処理内容に応じた音声出力を行う。音声出力部２６は、例えば、一若しくは複数のスピーカ又はその他の音声出力装置を備える。
インタフェース２７は、教室端末２０に対して外部の機器を接続することを可能とし、ＣＰＵ２１はインタフェース２７に接続された機器との間でデータ伝送を行うことができる。インタフェース２７の一例として、メモリーカード等の記憶媒体を接続するメモリーカード・スロットとして設けられる場合が挙げられるが、インタフェース２７の形態や接続可能な機器は特に制限されない。例えばＵＳＢ（Universal Serial Bus）等、所定の規格を採用したインタフェースとしてもよい。
サーバ・教室端末間通信部２８は、外部機器（サーバ１０）との間でデータ伝送を行う。サーバ・教室端末間通信部２８は、例えばネットワークインターフェースカード（Network Interface Card、ＮＩＣ）等の通信装置を有し、ネットワーク回線Ｎを通じてサーバ１０と通信を行う。
教室端末・指導者端末間通信部２９は、外部機器（指導者端末４０）との間でデータ伝送を行う。教室端末・指導者端末間通信部２９は、例えばBluetoothやIrDA等の近距離を想定した無線通信を行うための通信装置を有し、当該通信装置により外部機器との間でデータ伝送を行う。
【００２６】
計時部３０は、日時を計時する。ＣＰＵ２１は、計時部３０から現在時刻を取得する。
【００２７】
また、複数の教室端末２０はそれぞれ個別の教室ＩＤを有する。教室ＩＤは、個々の教室端末２０を区別することが可能なデータであれば何でもよい。例えば個別に設定された文字列をＲＯＭ２３に記憶させるようにしてもよいし、個々の教室端末２０が有する固有の情報データ（例えばＮＩＣに設定されたＭＡＣアドレス等）を流用するようにしてもよい。第１実施形態では、一桁の数字と一文字のアルファベットを組み合わせた教室ＩＤを設定して用いる例を示す（図１、図８参照）。
【００２８】
図４に、指導者端末４０のブロック図を示す。
指導者端末４０は、ＣＰＵ４１、ＲＡＭ４２、記憶部４３、入力部４４、表示部４５及び教室端末・指導者端末間通信部４６を備え、これらの各構成はバス４７により接続される。
【００２９】
ＣＰＵ４１は、記憶部４３に記憶されたプログラムをＲＡＭ４２に読み出して処理する。ＣＰＵ４１は、記憶部４３内に記憶されたプログラムと協働して、ＲＡＭ４２に展開されたプログラムやデータ等に従って指導者端末４０の動作制御を行う。
ＲＡＭ４２は、ＣＰＵ４１の処理によって展開されたデータや、当該処理によって一時的に生じたデータ等を格納する。
記憶部４３は、ＣＰＵ４１によって読み出されるプログラムやデータ等を記憶する。記憶部４３は、例えばハードディスクドライブやフラッシュメモリ、その他の書き換え可能な記憶装置又はそれらの記憶装置の組合せ等によって構成される。
【００３０】
入力部４４は、指導者端末４０に対して入力操作を可能とする。入力部４４は、例えばキーボードやマウス、その他の入力装置又はそれらの入力装置の組合せ等によって構成される。入力部４４は、利用者による入力操作を受け付けてその入力操作内容に応じた信号をＣＰＵ４１へ入力する。
表示部４５は、ＣＰＵ４１の処理内容に応じた表示出力を行う。表示部４５は、例えばブラウン管や液晶表示装置、有機エレクトロルミネセンス（Electro-Luminescence、ＥＬ）ディスプレイ、その他の表示装置又はそれらの表示装置の組合せ等によって構成される。
【００３１】
教室端末・指導者端末間通信部４６は、外部機器（教室端末２０）との間でデータ伝送を行う。教室端末・指導者端末間通信部４６は、例えばBluetoothやIrDA等の近距離を想定した無線通信を行うための通信装置を有し、当該通信装置により外部機器との間でデータ伝送を行う。
サーバ１０から教室端末２０へデータ伝送に関して説明する。
サーバ１０は、教室端末２０へ配信するデータを記憶部１３に記憶している。
サーバ１０から教室端末２０へ配信されるデータとして、全校共通情報データがある。全校共通情報データは、全ての教室端末２０に対して共通して配信される「共通情報」として機能するデータである。ここで、記憶部１３は、全ての教室端末２０へ配信する共通情報を記憶する共通情報記憶手段として機能する。
【００３２】
図５に、全校共通情報データの構成の一例を示す。
図５に示すように、全校共通情報データは、複数の表示情報を含むことができる。図５に示す例では、全校共通情報データは、全校共通情報Ａ、全校共通情報Ｂ、全校共通情報Ｃ、全校共通情報Ｄ、全校共通情報Ｅを含む。全校共通情報Ａ、全校共通情報Ｂ、全校共通情報Ｃ、全校共通情報Ｄ、全校共通情報Ｅはそれぞれ異なる情報であってもよいし、その一部又は全部が同一の内容を含んでいてもよい。
【００３３】
サーバ１０は、全校共通情報データを全校共通情報テーブルにより管理する。
図６に、全校共通情報テーブルの一例を示す。
全校共通情報テーブルは、図６に示すように、配信日時と全校共通情報データとを対応付ける。サーバ１０のＣＰＵ１１は、計時部１７から取得した現在時刻が配信日時となったとき、全校共通情報テーブルに基づき、その配信日時と対応付けられた全校共通情報データを配信する。
図６では、配信日時の一例として、「yyyy/mm/dd hh:mm:ss」（yyyyは西暦年、mmは月、ddは日、hhは時、mmは分、ssは秒）の形式を用いているが、日時を特定することができるあらゆる形式を用いることができる。また、図６に示す日付別の全校共通情報データの構成は、それぞれが共通のデータ構造（例えば図５に示す構成）を有する。
【００３４】
また、サーバ１０から教室端末２０へ配信されるデータとして、教室別情報データがある。教室別情報データは、複数の端末のそれぞれに対して個別に配信される「個別情報」として機能するデータである。ここで、記憶部１３は、複数の教室端末２０のそれぞれに対して個別に配信する個別情報を記憶する個別情報記憶手段として機能する。
【００３５】
図７に、教室別情報データの構成の一例を示す。
図７に示すように、教室別情報データは、複数の表示情報を含むことができる。図７に示す例では、教室別情報データは、教室別情報Ｈ、教室別情報Ｉ、教室別情報Ｊ、教室別情報Ｋを含む。教室別情報Ｈ、教室別情報Ｉ、教室別情報Ｊ、教室別情報Ｋはそれぞれ異なる情報であってもよいし、その一部又は全部が同一の内容を含んでいてもよい。
【００３６】
サーバ１０は、教室別情報データを教室別情報テーブルにより管理する。
図８に、教室別情報テーブルの一例を示す。
教室別情報テーブルは、図８に示すように、教室端末２０の各々の教室ＩＤと、教室端末２０の各々に配信する教室別情報データとを対応付ける。サーバ１０のＣＰＵ１１は、教室別情報テーブルに基づき、それぞれの教室ＩＤを有する教室端末２０に対してその教室ＩＤと対応付けられた教室別情報データを配信する。図８に示す教室ＩＤ別の教室別情報データの構成は、それぞれが共通のデータ構造（例えば図７に示す構成）を有する。また、教室別情報テーブルは、例えば図６に示す全校共通情報テーブルのように、配信日時に係る情報を含んでもよい。
【００３７】
サーバ１０のＣＰＵ１１は、所定の期間（例えば１日等）に１度、サーバ・教室端末間通信部１６を介して、全校共通情報データを配信する。第１実施形態では、全校共通情報データは全ての教室端末に配信されるが、所定のルールに基づいて、特定の教室端末のみを配信の対象から外すことができるようにしてもよい。また、サーバ１０のＣＰＵ１１は、サーバ・教室端末間通信部１６を介して、教室ＩＤに対応する教室別情報データを教室端末の各々に対して配信する。ここで、ＣＰＵ１１とサーバ・教室端末間通信部１６は協働により、共通情報及び個別情報を教室端末２０へ配信する配信手段として機能する。
配信された各種のデータは、教室端末２０に受信され、記憶される。教室端末２０のサーバ・教室端末間通信部２８は、受信した全校共通情報データ及び教室別情報データをＣＰＵ２１へ渡す。ここで、サーバ・教室端末間通信部２８は、共通情報及び個別情報を受信する受信手段として機能する。
【００３８】
図９に、教室端末２０が保持するデータの一例を示す。
教室端末２０は、全校共通情報データ、教室別情報データ及び時間割テーブルを保持する。教室端末２０に保持される各種データは、例えばインタフェース２７を介して接続された記憶装置や記憶媒体に記憶されてもよいし、図示しない書き換え可能な記憶装置（例えばフラッシュメモリ等）を教室端末２０に設け、当該記憶装置に記憶するようにしてもよいし、その両方を兼用してもよい。ここで、インタフェース２７を介して接続された記憶装置や記憶媒体、図示しない書き換え可能な記憶装置等は、共通情報及び個別情報を記憶する記憶手段として機能する。
【００３９】
図１０に、時間割テーブルの一例を示す。
時間割テーブルは、図１０に示すように、所定の時間帯と、当該所定の時間帯に表示する全校共通情報又は教室別情報と、を対応付ける。教室端末２０のＣＰＵ２１は、時間割テーブルに基づいて表示部２５の表示内容を制御する。
【００４０】
時間割テーブルは、例えばＲＯＭ２３やインタフェース２７を介して接続された記憶装置や記憶媒体に記憶するようにしてもよいし、図示しない書き換え可能な記憶装置（例えばフラッシュメモリ等）に記憶するようにしてもよい。ここで、ＲＯＭ２３やインタフェース２７を介して接続された記憶装置や記憶媒体、図示しない書き換え可能な記憶装置等は、時間割情報を記憶する時間割情報記憶手段として機能する。
【００４１】
ＣＰＵ２１は、計時部３０から現在時刻を取得し、時間割テーブルに設定された時間帯のうち現在時刻を含む時間帯を特定し、特定された時間帯と対応付けられた表示内容を特定する。そして、ＣＰＵ２１は、特定された表示内容に対応する全校共通情報データ又は教室別情報データを読み出してその内容の一部又は全部を表示部２５に表示させる。ここで、表示部２５は、共通情報又は個別情報を表示する表示手段として機能する。また、ＣＰＵ２１は、表示手段の表示内容を共通情報（全校共通情報）又は個別情報（教室別情報）の何れかに切り替える制御手段として機能する。
【００４２】
図１１（Ａ）、（Ｂ）に、表示部２５の表示内容の一例を示す。図１１（Ａ）は全校共通情報データに含まれる情報を表示した場合の一例を示し、図１１（Ｂ）は教室別情報データに含まれる情報を表示した場合の一例を示す。
図１１（Ａ）に示す全校共通情報データに含まれる情報の表示例は、所定の日時に行われるイベントの日時、場所、イベントの進行に係る情報（プログラム）を表示しているが、当該表示例に限らず、教育施設において複数の教室に跨って通知するあらゆる情報を含めることができる。
図１１（Ｂ）に示す教室別情報データに含まれる情報の表示例は、その教室が所属する組（クラス）特有のイベントに係る情報として、日時、場所、イベント開始における集合場所、イベント参加に必要な所持品等を表示しているが、当該表示例に限らず、教育施設において各組に所属する人物（生徒や関係者等）に通知するあらゆる情報を含めることができる。
【００４３】
第１実施形態の場合、教室端末２０のＣＰＵ２１は、図１０に示す時間割テーブルに基づき、8:00〜8:30の時間帯には全校共通情報データに含まれる全校共通情報Ａを表示する。また、ＣＰＵ２１は、8:30〜9:15の時間帯には教室別情報データに含まれる教室別情報Ｈを表示する。同様に、ＣＰＵ２１は、9:15〜9:25の時間帯には全校共通情報Ｂを表示し、9:25〜10:10の時間帯には教室別情報Ｉを表示し、10:10〜10:20の時間帯には全校共通情報Ｃを表示し、10:20〜11:05の時間帯には教室別情報Ｊを表示し、11:05〜11:15の時間帯には全校共通情報Ｄを表示し、11:15〜12:00の時間帯には教室別情報Ｋを表示し、12:00〜13:0の時間帯には全校共通情報Ｅを表示する。
ここで例示した図１０の時間割テーブルに基づく表示制御や、図５、図７に示す全校共通情報データ、全校共通情報データの内容はあくまで一例であり、時間割テーブルによる時間帯の設定及び表示内容の制御ならびに全校共通情報データ及び全校共通情報データの内容は適宜、任意に設定することができる。
【００４４】
また、教室端末２０のＣＰＵ２１は、入力部２４を介して行われた入力内容に基づいて表示部２５の表示内容を制御する。
例えば、ＣＰＵ２１は入力部２４から行われた所定の入力操作に応じて、教室端末２０に保持されている全校共通情報データや教室別情報データに含まれる情報の一部又は全部を閲覧可能な状態で表示部２５に表示させる。この状態から、さらに入力部２４から行われた入力操作により、全校共通情報又は教室別情報のいずれかが選択された場合、ＣＰＵ２１は、選択された情報を表示部２５に表示させる。ここで、入力部２４は、入力手段として機能する。
これによって、教室端末２０の利用者（例えばその教室の指導者や生徒等）は、教室端末２０の表示部２５に表示される情報を任意に選択決定することができる。
【００４５】
また、教室端末２０のＣＰＵ２１は、教室端末・指導者端末間通信部２９を介して、指導者端末４０からの入力を受け付ける。指導者端末４０は、その指導者端末４０を利用するユーザ（例えば指導者等）の操作内容に応じて教室端末２０に対して入力を行う。ここで、指導者端末４０は、教室端末２０に対して入力を行う外部機器として機能する。また、ＣＰＵ２１と教室端末・指導者端末間通信部２９は協働により、外部機器からの入力を受け付ける入力受付手段として機能する。
指導者端末４０は、教室端末２０の表示部２５に表示される情報を任意に選択決定することができる。指導者端末４０は、指導者端末４０の利用者（例えば指導者等）の入力操作に応じて、教室端末２０との通信を介して教室端末２０に保持されている全校共通情報データや教室別情報データを参照し、その中から表示部２５に表示させる情報を選択決定するための指示入力を行う。
これによって、指導者端末４０の利用者（例えば指導者等）は、教室端末２０の表示部２５に表示される情報を任意に選択決定することができる。
【００４６】
第１実施形態では、教室端末２０のＣＰＵ２１は、入力部２４や指導者端末４０からの指示入力があった場合、時間割テーブルに基づく表示制御より優先して指示入力に応じた表示制御を行う。その後、現在時刻の遷移により時間割テーブルに設定された時間帯が移り変わったとき、ＣＰＵ２１は時間割テーブルに基づく表示制御を行う。
【００４７】
なお、教室端末２０により表示される情報を含むデータを、指導者端末４０から入力することもできる。例えば、指導者端末４０から教室別情報データの一部又は全部を教室端末２０へ入力すると共に、入力したデータに含まれる情報を表示させる指示入力を行うことで、指導者端末４０から入力したデータに基づく表示を教室端末２０に行われることができる。これによって、サーバ１０から配信された情報に限らない任意の情報を教室端末２０に表示させることができる。
【００４８】
以下、フローチャートを用いてサーバ１０及び教室端末２０の動作の流れを説明する。
図１２に、サーバ１０の動作の流れをフローチャートで示す。
サーバ１０のＣＰＵ１１は、計時部３０から得られる現在時刻に基づき、全校共通情報テーブルに設定されている配信日時まで待機する（ステップＳ１：ＮＯ）。配信日時を迎えると（ステップＳ１：ＹＥＳ）、ＣＰＵ１１はＲＡＭ２２に送信バッファを設定し、当該配信日時と対応付けられた全校共通情報データを読み出して送信バッファに格納する（ステップＳ２）。
また、ＣＰＵ１１は、データを送信する教室端末２０の教室ＩＤを特定する（ステップＳ３）。そして、ＣＰＵ１１は、教室別情報テーブルにおいてステップＳ３の処理により特定された教室ＩＤと対応付けられた教室別情報データを記憶部１３から読み出して送信バッファに格納する（ステップＳ４）。
その後、ＣＰＵ１１は、送信バッファの内容を、ステップＳ３の処理により特定された教室ＩＤを有する教室端末２０に送信する（ステップＳ５）。
サーバ１０によるデータの送信は、教室端末２０のそれぞれに対して個別に行われる。
【００４９】
ステップＳ２の処理と、ステップＳ３、Ｓ４の処理と、は順不同である。
また、第１実施形態では教室端末２０に全校共通情報データと教室別情報データを一括して送る処理を取っているが、異なるデータ送信順序を取ってもよい。例えば、全ての教室端末２０に全校共通情報データを一括送信する処理と、教室端末２０のそれぞれに対応した教室別情報データを送信する処理と、を行うようにしてもよい。
【００５０】
図１３に、教室端末２０の動作の流れをフローチャートで示す。
教室端末２０のＣＰＵ２１は、サーバ１０から全校共通情報データと教室別情報データを受信するまで待機する（ステップＳ１１：ＮＯ）。サーバ１０から全校共通情報データと教室別情報データを受信すると（ステップＳ１１：ＹＥＳ）、ＣＰＵ２１は、インタフェース２７を介して接続された記憶装置や記憶媒体等に受信した全校共通情報データと教室別情報データを記憶させる（ステップＳ１２）。
【００５１】
その後、入力部２４及び指導者端末４０からの指示入力がない場合（ステップＳ１３：ＮＯ）、ＣＰＵ２１は、計時部３０から現在時刻を取得し（ステップＳ１４）、時間割テーブルを読み出す（ステップＳ１５）。ＣＰＵ２１は、ステップＳ１４、Ｓ１５の処理により得た現在時刻と時間割テーブルとを照合して、現在時刻が全校共通情報の表示時間帯であるか判定する（ステップＳ１６）。現在時刻が全校共通情報の表示時間帯である場合（ステップＳ１６：ＹＥＳ）、ＣＰＵ２１は全校共通情報データを読み出して、時間割テーブルにおいて現在時刻を含む時間帯と対応付けられた全校共通情報を抽出する（ステップＳ１７）。一方、ステップＳ１６の判定において現在時刻が全校共通情報の表示時間帯でない場合（ステップＳ１６：ＮＯ）、ＣＰＵ２１は、教室別情報データを読み出して、時間割テーブルにおいて現在時刻を含む時間帯と対応付けられた教室別情報を抽出する（ステップＳ１８）。
【００５２】
割り込み処理として入力部２４又は指導者端末４０からの指示入力があった場合（ステップＳ１３：ＹＥＳ）、ＣＰＵ２１は、指導者端末４０からのデータ入力があったか否か判定する（ステップＳ１９）。指導者端末４０からのデータ入力があった場合（ステップＳ１９：ＹＥＳ）、ＣＰＵ２１は、インタフェース２７を介して接続された記憶装置や記憶媒体等に入力されたデータを記憶させる（ステップＳ２０）。ステップＳ２０の処理後又はステップＳ１９の判定において指導者端末４０からのデータ入力がなかった場合（ステップＳ１９：ＮＯ）、ＣＰＵ２１は、指示入力により選択されたデータ（全校共通情報データ又は教室別情報データ）を読み出し、選択された情報（全校共通情報又は教室別情報）を抽出する。（ステップＳ２１）。
ステップＳ１７、ステップＳ１８又はステップＳ２１の処理後、ＣＰＵ２１は抽出したデータを表示部２５に表示させる（ステップＳ２２）。
【００５３】
ステップＳ２０の処理後、ＣＰＵ２１は、ステップＳ１３の処理に戻る。教室端末２０の電源が切られるまでステップＳ１３の判定から始まるループ処理は続き（ステップＳ２３：ＮＯ）、教室端末２０の電源が切られることで（ステップＳ２３：ＹＥＳ）、処理は終了する。
【００５４】
以上のように、第１実施形態の情報配信システム１によれば、サーバ１０が全校共通情報データ及び教室別情報データを複数の教室端末２０へ配信する。そして、個々の教室端末２０が全校共通情報データ及び教室別情報データを受信して表示する。ここで、全校共通情報データは、複数の教室端末２０において共通して用いられる情報を含む。よって、複数の教室端末２０において共通して用いられる情報を含むデータを個々の教室端末２０に対して利用者（例えば指導者等）が個別に配信する必要がなく、極めて効率的に複数の教室又は複数の指導者が共有する情報を含むデータを配信することができる。
また、教室端末２０のそれぞれにおいて個別に用いられる情報を含む教室別情報データもサーバ１０から配信されるので、データを個々の教室端末２０に対して利用者（例えば指導者等）が個別に配信する必要がなく、さらに効率的にデータを配信することができる。
【００５５】
さらに、教室端末２０のＣＰＵ２１は、時間割テーブルに基づいて表示部２５の表示内容を制御するので、時間割テーブルに設定された時間帯と対応付けられた全校共通情報データ、教室別情報データの内容を自動的に表示することができる。このため、時間帯に応じて任意の情報を表示させることができる。
【００５６】
さらに、教室端末２０のＣＰＵ２１は、入力部２４を介して行われた入力内容に基づいて表示部２５の表示内容を制御する。これによって、教室端末２０の利用者（例えばその教室の指導者や生徒等）は、教室端末２０の表示部２５に表示される情報を任意に選択決定することができる。
【００５７】
さらに、教室端末２０のＣＰＵ２１は、指導者端末４０からの入力を受け付け、指導者端末４０を介して行われた指示入力に基づいて表示部２５の表示内容を制御する。これによって、指導者端末４０の利用者（例えば指導者等）は、教室端末２０の表示部２５に表示される情報を任意に選択決定することができる。
【００５８】
さらに、教室端末２０により表示される情報を含むデータを、指導者端末４０から入力することもできる。これによって、サーバ１０から配信された情報に限らない任意の情報を教室端末２０に表示させることができる。
【００５９】
なお、第１実施形態では、全校共通情報テーブルに設定された配信日時に基づいてサーバ１０から教室端末２０へのデータ送信が行われるが、他の配信方法をとってもよい。例えば、教室端末２０の電源がＯＮされたときに教室端末２０から自動又は手動によりサーバ１０へデータ送信要求が行われ、サーバ１０が当該データ送信要求を受信したときにサーバ１０から教室端末２０へのデータ送信を行うようにしてもよい。
【００６０】
（第２実施形態）
次に、本発明の第２実施形態について説明する。第１実施形態と同様の構成については同じ符号を付して説明を省略する。
第２実施形態では、サーバ１０が時間割テーブルを有する。時間割テーブルは、例えば記憶部１３等の記憶装置に記憶される。第２実施形態において、記憶部１３は、時間割情報を記憶する時間割情報記憶手段として機能する。
【００６１】
サーバ１０のＣＰＵ１１は、時間割テーブルに基づいて、時間帯に応じた各種のデータを教室端末２０へ配信する。ここで、ＣＰＵ１１は、時間割情報に基づいて配信する情報を決定する配信情報決定手段として機能する。
【００６２】
なお、図１０に示す時間割テーブルでは教室ＩＤに係る管理を省略しているが、第２実施形態では、サーバ１０は、教室ＩＤ別の管理を踏まえた時間割テーブルの運用を行うことができる。例えば、教室ＩＤごとに個別の時間割テーブルを設けることもできるし、複数の教室に対して適用する時間割テーブルを一元管理した上で、教室別情報の配信時に教室端末２０のそれぞれの教室ＩＤに対応する教室別情報を読み出して配信するようにすることもできる。
【００６３】
教室端末２０のＣＰＵ２１は、サーバ１０からのデータ送信を検知し、教室端末２０が受信した最近のデータを表示部２５に表示させる。ここで、ＣＰＵ２１は、共通情報及び個別情報の配信を検知する配信検知手段として機能する。
【００６４】
教室端末２０は、サーバ１０からのデータ送信を検知、受信するまでは、予め教室端末２０が保持しているデフォルトの表示情報を表示する。
例えば、ＲＯＭ２３やインタフェース２７を介して接続された記憶装置や記憶媒体、図示しない書き換え可能な記憶装置（例えばフラッシュメモリ等）にデフォルトの表示情報として用いるデータが記憶されている。教室端末２０の電源が入れられた後、サーバ１０からのデータ送信を検知、受信するまでの間、ＣＰＵ２１は当該データを読み出して表示部２５にデフォルトの表示情報を表示させる。ここで、ＲＯＭ２３やインタフェース２７を介して接続された記憶装置や記憶媒体、図示しない書き換え可能な記憶装置等は、予め設けられた表示情報を記憶する表示情報記憶手段として機能する。
【００６５】
図１４に、第２実施形態における全校共通情報データ及び教室別情報データの構成の一例を示す。
図１４に示すように、第２実施形態のサーバ１０は、時間割テーブルに設定された各時間帯の表示内容に応じた全校共通情報、教室別情報のデータのそれぞれを個別に記憶する。第２実施形態では、教室別情報データは、それぞれのデータに教室ＩＤを示す情報も含む。
【００６６】
図１５に、第２実施形態におけるサーバ１０の動作の流れをフローチャートで示す。
サーバ１０のＣＰＵ１１は、時間割テーブルを読み出す（ステップＳ３１）。ＣＰＵ１１は、計時部１７から現在時刻を取得し（ステップＳ３２）、現在時刻と時間割テーブルとを照合して時間割テーブルに設定された時間帯の移り変わりを迎えたか判定する（ステップＳ３３）。
【００６７】
ステップＳ３３における「時間帯の移り変わり」とは、時間の経過により現在時刻が変化することに伴い、時間割テーブルに設定された時間帯のうち現在時刻を含む時間帯がそれまでと異なる時間帯となったことを指す。
【００６８】
ステップＳ３３の判定において、ＣＰＵ１１は、時間帯の移り変わりを迎えるまで待機し（ステップＳ３３：ＮＯ）、定期的に現在時刻を取得する。ステップＳ３３の判定において時間帯の移り変わりを迎えると（ステップＳ３３：ＹＥＳ）、ＣＰＵ１１は、現在時刻を含む時間帯が全校共通情報を表示する時間帯であるか否か判定する（ステップＳ３４）。現在時刻を含む時間帯が全校共通情報を表示する時間帯である場合（ステップＳ３４：ＹＥＳ）、ＣＰＵ１１は、時間帯に応じた全校共通情報データを読み出して送信バッファに格納し（ステップＳ３５）、全ての教室端末２０へ送信する（ステップＳ３６）。一方、ステップＳ３４の判定において、現在時刻を含む時間帯が全校共通情報を表示する時間帯でない場合（ステップＳ３４：ＮＯ）、ＣＰＵ１１は、時間帯に応じた教室別情報データを読み出して送信バッファに格納し（ステップＳ３７）、その教室別情報データと対応付けられた教室ＩＤを有する教室端末２０へデータを送信する（ステップＳ３８）。ステップＳ３８の処理後、ＣＰＵ１１は全ての教室端末２０に対してその時間帯の教室別情報の送信を完了したか判定し（ステップＳ３９）、完了していない場合（ステップＳ３９：ＮＯ）、全ての教室端末２０に対してその時間帯の教室別情報の送信を完了するまでステップＳ３７、ステップＳ３８の処理を繰り返す。
【００６９】
ステップＳ３６の処理後又はステップＳ３９の判定において全ての教室端末２０に対してその時間帯の教室別情報の送信を完了したと判定された場合（ステップＳ３９：ＹＥＳ）、ＣＰＵ１１はステップＳ３２の処理に戻り、次の時間帯になるまで待機する。サーバ１０の電源が切られるまでステップＳ３２の処理から始まるループ処理は続き（ステップＳ４０：ＮＯ）、サーバ１０の電源が切られることで（ステップＳ４０：ＹＥＳ）、処理は終了する。
【００７０】
図１６に、第２実施形態における教室端末２０の動作の流れをフローチャートで示す。
教室端末２０のＣＰＵ２１は、まず、デフォルトの表示情報に対応するデータを読み出して表示部２５に表示させる（ステップＳ４１）。その後、ＣＰＵ２１は、サーバ１０から全校共通情報データ又は教室別情報データを受信するまで待機する（ステップＳ４２：ＮＯ）。サーバ１０から全校共通情報データ又は教室別情報データを受信すると（ステップＳ４２：ＹＥＳ）、ＣＰＵ２１は、インタフェース２７を介して接続された記憶装置や記憶媒体等に受信したデータを記憶させる（ステップＳ４３）。
【００７１】
その後、入力部２４及び指導者端末４０からの指示入力がない場合（ステップＳ４４：ＮＯ）、ＣＰＵ２１は、サーバ１０から受信した最近のデータを読み出して表示部２５に表示させる（ステップＳ４５）。
一方、入力部２４又は割り込み処理として指導者端末４０からの指示入力があった場合（ステップＳ４４：ＹＥＳ）、ＣＰＵ２１は、指導者端末４０からのデータ入力があったか否か判定する（ステップＳ４６）。指導者端末４０からのデータ入力があった場合（ステップＳ４６：ＹＥＳ）、ＣＰＵ２１は、インタフェース２７を介して接続された記憶装置や記憶媒体等に入力されたデータを記憶させる（ステップＳ４７）。ステップＳ４７の処理後又はステップＳ４６の判定において指導者端末４０からのデータ入力がなかった場合（ステップＳ４６：ＮＯ）、ＣＰＵ２１は、指示入力により選択されたデータを読み出して表示部２５に表示させる（ステップＳ４８）。
【００７２】
ステップＳ４５又はステップＳ４８の処理後、ＣＰＵ２１は、ステップＳ４２の処理に戻る。教室端末２０の電源が切られるまでステップＳ４２の判定から始まるループ処理は続き（ステップＳ４９：ＮＯ）、教室端末２０の電源が切られることで（ステップＳ４９：ＹＥＳ）、処理は終了する。
【００７３】
以上、第２実施形態について特に記載した点を除き、第２実施形態の構成は第１実施形態と同様である。
【００７４】
第２実施形態によれば、サーバ１０が、全校共通情報又は教室別情報のデータを配信する。教室端末２０は、サーバ１０から配信された最近のデータを表示する。これによって、第１の実施形態と同様の効果を得られる。
【００７５】
さらに、サーバ１０が、時間割テーブルに設定された時間帯に基づいて全校共通情報又は教室別情報のデータを配信する。これによって、時間帯に応じて表示情報を変化させるトリガーとなる要素をデータ配信処理とすることができるので、教室端末２０のＣＰＵ２１が行う表示制御の処理内容を簡略化することができる。また、サーバ１０の時間割テーブルを変更することにより、時間帯に応じた教室端末２０の表示内容の制御を行うことができるので、教室端末２０のそれぞれの表示内容の制御を一元的に管理することがより容易となる。
【００７６】
なお、本発明は、上記実施形態に限定されることなく、本発明の趣旨を逸脱しない範囲において、種々の改良並びに設計の変更を行っても良い。
【００７７】
例えば、上記の各実施形態では、教室端末としてデジタルフォトフレームが用いられているが、デジタルフォトフレームに限らず、本発明の端末として機能する他の構成（例えばＰＣ、ＰＤＡ、携帯端末装置等）でもよい。
【００７８】
また、教室端末２０として用いるデジタルフォトフレームにアート変換機能を持たせてもよい。アート変換機能とは、デジタルフォトフレームにより表示される写真画像について、表示内容に加工を施した上で表示する機能である。
図１７〜図２０に、アート変換機能による写真画像の表示例を示す。図１７（Ａ）は、アート変換機能による加工を行わない元の写真画像の一例である。図１７（Ｂ）は、アート変換機能により水彩画調に加工した写真画像の表示例である。図１８（Ａ）は、アート変換機能により油絵調に加工した写真画像の表示例である。図１８（Ｂ）は、アート変換機能により点描調に加工した写真画像の表示例である。図１９（Ａ）は、アート変換機能によりエアブラシでの描画調に加工した写真画像の表示例である。図１９（Ｂ）は、アート変換機能により図１８（Ａ）とは異なる油絵調に加工した写真画像の表示例である。図２０は、アート変換機能により図１８（Ａ）、図１９（Ｂ）とは異なる油絵調に加工した写真画像の表示例である。
アート変換機能を用いることにより、個々の教室に係る写真（例えば行事の写真や教師と生徒の集合写真等）に面白みを付加することができる。また、美術等の授業において、絵画の作成方法の一例として例示する等の活用をすることができる。
【００７９】
アート変換機能を用いる場合、教室端末２０として用いるデジタルフォトフレームにアート変換のための画像処理部を設け、ＣＰＵ２１が表示部２５に写真データを表示させる場合に当該画像処理部による表示内容の加工を行わせた上で表示を行わせる。どの形式の加工を行うかの選択は表示の際に選べるようにしてもよいし、予め設定された形式の加工を行うようにしてもよいし、ランダムで決定されるようにしてもよい。デジタルフォトフレームには、図１７〜２０に例示したアート変換の他、図示しない既存及び将来実現する画像の表示内容の加工技術を採用することができる。画像処理部に換えて、ＣＰＵ等の演算処理装置を画像処理部として機能させるソフトウェアを用いてもよい。
【００８０】
また、上述の各実施形態では、サーバ１０と教室端末２０との間のデータ伝送と、教室端末２０と指導者端末４０との間のデータ伝送と、は個別のデータ伝送経路を有しているが、サーバ１０、教室端末２０及び指導者端末４０を共通のデータ伝送経路上で接続してもよい。
【符号の説明】
【００８１】
１０  サーバ
１１  ＣＰＵ
１３  記憶部
１６  サーバ・教室端末間通信部
２０  教室端末
２１  ＣＰＵ
２４  入力部
２５  表示部
２７  インタフェース
２８  サーバ・教室端末間通信部
２９  教室端末・指導者端末間通信部
４０  指導者端末
【図１】
2012078374.tif 000003
【図２】
2012078374.tif 000004
【図３】
2012078374.tif 000005
【図４】
2012078374.tif 000006
【図５】
2012078374.tif 000007
【図６】
2012078374.tif 000008
【図７】
2012078374.tif 000009
【図８】
2012078374.tif 000010
【図９】
2012078374.tif 000011
【図１０】
2012078374.tif 000012
【図１１】
2012078374.tif 000013
【図１２】
2012078374.tif 000014
【図１３】
2012078374.tif 000015
【図１４】
2012078374.tif 000016
【図１５】
2012078374.tif 000017
【図１６】
2012078374.tif 000018
【図１７】
2012078374.tif 000019
【図１８】
2012078374.tif 000020
【図１９】
2012078374.tif 000021
【図２０】
2012078374.tif 000022